(57)【要約】【課題】部屋を広くできるとともに、空気層の空気ばねによる共振周波数の影響に基づく遮音性能の低下を抑制できる二重壁を提供する。【解決手段】本発明に係る二重壁３は、界壁５と、界壁５の前方に空気層６を介して壁板７を設けて形成された付加壁７５とを備えた壁構造である二重壁において、空気層６に、密度８ｋｇ／ｍ３〜密度１６ｋｇ／ｍ３の多孔質繊維吸音材（不織布６０）を備えたことを特徴とする。【選択図】図１
2019039229.tif 000002
【特許請求の範囲】
【請求項１】
界壁と、界壁の前方に空気層を介して壁板を設けて形成された付加壁とを備えた壁構造である二重壁において、
空気層に、密度８ｋｇ／ｍ３〜密度１６ｋｇ／ｍ３の多孔質繊維吸音材を備えたことを特徴とする二重壁。
【請求項２】
付加壁を構成する壁板の上端面と天井スラブ面とを離間させるとともに、付加壁を構成する壁板の下端面と床面とを離間させたことを特徴とする請求項１に記載の二重壁。
【請求項３】
付加壁を構成する壁板の上端面と天井スラブ面とを接触させるとともに、付加壁を構成する壁板の下端面と床面とを接触させたことを特徴とする請求項１に記載の二重壁。
【請求項４】
付加壁を構成する壁板の上端面と天井スラブ面との間、付加壁を構成する壁板の下端面と床面との間のうち、一方を離間させ、他方を接触させたことを特徴とする請求項１に記載の二重壁。
【請求項５】
空気層の空気ばねによる共振周波数が１００Ｈｚ帯域であることを特徴とする請求項１乃至請求項４のいずれか一項に記載の二重壁。
【請求項６】
多孔質繊維吸音材は、不織布、又は、グラスウール、又は、ロックウールであることを特徴とする請求項１乃至請求項５のいずれか一項に記載の二重壁。
【発明の詳細な説明】
【技術分野】
【０００１】
本発明は、界壁と、界壁の前方に空気層を介して壁板を設けて形成された付加壁とを備えた壁構造である二重壁に関する。
【背景技術】
【０００２】
戸境壁、間仕切り壁等の界壁と、界壁の前方に空気層を介してせっこうボード等の壁板を設けて形成された付加壁とを備えた、所謂、二重壁が知られている（特許文献１等参照）。
【先行技術文献】
【特許文献】
【０００３】
【特許文献１】特開２００９−２０３６３９号公報
【発明の概要】
【発明が解決しようとする課題】
【０００４】
従来の二重壁においては、部屋を広くするために、界壁と壁板との間で形成される空気層の間隔を小さくした場合、空気層の空気ばねによる共振周波数が低くなる。例えば、空気層の間隔を５０ｍｍ程度にした場合、空気層の空気ばねによる共振周波数が１００Ｈｚ帯域となるため、１００Ｈｚ帯域における遮音性能の低下が生じていた。
【０００５】
本発明は、部屋を広くできるとともに、空気層の空気ばねによる共振周波数の影響に基づく遮音性能の低下を抑制できる二重壁を提供する。
【課題を解決するための手段】
【０００６】
本発明に係る二重壁は、界壁と、界壁の前方に空気層を介して壁板を設けて形成された付加壁とを備えた壁構造である二重壁において、空気層に、密度８ｋｇ／ｍ３〜密度１６ｋｇ／ｍ３の多孔質繊維吸音材を備えたことを特徴とするので、部屋を広くできるとともに、空気層の空気ばねによる共振周波数の影響に基づく遮音性能の低下を抑制できる二重壁を提供できる。
また、付加壁を構成する壁板の上端面と天井スラブ面とを離間させるとともに、付加壁を構成する壁板の下端面と床面とを離間させたことを特徴としたり、付加壁を構成する壁板の上端面と天井スラブ面とを接触させるとともに、付加壁を構成する壁板の下端面と床面とを接触させたことを特徴としたり、付加壁を構成する壁板の上端面と天井スラブ面との間、付加壁を構成する壁板の下端面と床面との間のうち、一方を離間させ、他方を接触させたことを特徴とするので、部屋を広くできるとともに、空気層の空気ばねによる共振周波数の影響に基づく遮音性能の低下を抑制できる二重壁を提供できる。
また、空気層の空気ばねによる共振周波数が１００Ｈｚ帯域であることを特徴とするので、部屋を広くできるとともに、１００Ｈｚ帯域における遮音性能の低下を抑制できる二重壁を提供できる。
また、多孔質繊維吸音材は、不織布、又は、グラスウール、又は、ロックウールであることを特徴とするので、部屋を広くできるとともに、空気層の空気ばねによる共振周波数の影響に基づく遮音性能の低下を抑制できる二重壁を提供できる。
【図面の簡単な説明】
【０００７】
【図１】二重壁を備えた建物を示す縦断面図。
【図２】二重壁を備えた建物を示す縦断面図。
【図３】二重壁を備えた建物を示す縦断面図。
【図４】音響透過損失の測定実験に用いた二重壁を説明するための正面図。
【図５】音響透過損失の測定実験に用いた二重壁を説明するための側面図。
【図６】音響透過損失の測定実験結果を示す数値データ表。
【図７】音響透過損失の測定実験結果を示すグラフ。
【図８】音響透過損失の測定実験結果を示すグラフ。
【発明を実施するための形態】
【０００８】
実施形態１
図１乃至図３に示すように、実施形態１の二重壁３を備えた建物１は、床構造２と、二重壁３と、天井構造４と、部屋１０とを備える。
【０００９】
図１，図２に示すように、床構造２としての二重床は、床スラブ１２と、床スラブ１２の上に所定の間隔で配置された防振ゴム付きの複数の支持脚１３と、複数の支持脚１３の上に形成された床板構成部１４とを備えた構成であり、床下空間９は、床スラブ１２と床板構成部１４との間の空間である。
【００１０】
支持脚１３は、床スラブ１２上に設置される防振ゴム１５と、下部が防振ゴム１５に取付けられて防振ゴム１５に支持される支柱１６と、支柱１６の上端部に設けられた台座１７とを備える。支柱１６の上部の外周面は図外の雄ねじ部に形成される。台座１７は、例えば、パーティクルボード、あるいは、構造用合板で形成される。台座１７は、台座１７の上下面に貫通する図外の貫通孔を備え、この貫通孔内には当該貫通孔を上下に貫通する筒体１８ｇが固定され、この筒体１８ｇの内周面は図外の雌ねじ部に形成される。
つまり、支持脚１３は、支柱１６の上部の外周面に形成された雄ねじ部の雄ねじと筒体１８ｇの内周面に形成された雌ねじ部の雌ねじとのねじ嵌合により、台座１７が支柱１６に対して上下に移動可能に構成され、台座１７のレベル（高さ）を調整して床板構成部１４のレベル（高さ）を調整できる構成である。
【００１１】
床板構成部１４は、支持脚１３の上に形成された基材１８と、基材１８の上に形成された下地材１９と、下地材１９の上に形成された床仕上げ材２０とを備える。
基材１８と台座１７とが図外の固定手段により固定され、基材１８と下地材１９とが図外の固定手段により固定される。尚、当該固定手段及び後述する固定手段としては、例えば、釘、スクリュー釘、タッカー針、ビス等が用いられる。
基材１８は、複数の支持脚１３の台座１７上に載置されて水平面を形成するように並べられ固定手段により台座１７に固定された複数の板材により構成される。基材１８を構成する板材としては、例えば、パーティクルボード、構造用合板等を用いる。
下地材１９は、基材１８の上に載置されて水平面を形成するように並べられ固定手段により基材１８に固定された複数の板材により構成される。下地材１９を構成する板材としては、例えば、パーティクルボード、強化パーティクルボード（通常のパーティクルボードよりもプレス圧を大きくして硬く形成されたパーティクルボード）、構造用合板、せっこうボード、珪酸カルシウム板、ガラス繊維不織布入りせっこうボード等を用いる。
下地材１９の上面に床仕上げ材２０が取付けられる。床仕上げ材２０は、フローリング床材、カーペット、タイル、絨毯、石板、畳等により構成される。
【００１２】
図３に示すように、床構造２としての直貼り床は、躯体床としての床スラブ１２の床面に、フローリング床材、カーペット、タイル、絨毯、石板、畳等の床仕上げ材２０を直接貼り付けた直貼り工法によって形成された床構造であって、床下空間を備えない床構造である。当該直貼り床の場合、床仕上げ材２０により床板構成部１４が構成される。
【００１３】
二重壁３は、例えば、ＲＣ（鉄筋コンクリート）壁により形成された界壁５としての戸境壁５０と、当該戸境壁５０と対向するように戸境壁５０の前方に空気層６を介して壁板７としてのせっこうボード７０を設けて形成された付加壁７５とを備え、かつ、戸境壁５０とせっこうボード７０との間に形成された空気層６の空気ばねによる共振周波数が１００Ｈｚ帯域となる壁構造であって、空気層６に、密度８ｋｇ／ｍ３〜密度１６ｋｇ／ｍ３の多孔質繊維吸音材としての不織布６０を備えた壁構造である。
例えば、空気層６の間隔が５０．５ｍｍ、せっこうボード７０のボード厚が９．５ｍｍ、戸境壁５０の表面からせっこうボード７０の室内側表面までの距離（＝仕上げ厚さ）が６０ｍｍであり、せっこうボード７０の界壁側表面（裏面）の全面に、厚さ５０ｍｍの板状に形成された密度８ｋｇ／ｍ３又は密度１６ｋｇ／ｍ３の不織布６０が貼り付けられたことにより、空気層６に、密度８ｋｇ／ｍ３又は密度１６ｋｇ／ｍ３の不織布６０が設けられた構成の二重壁３とした。
【００１４】
付加壁７５は、床板構成部１４又は床スラブ１２に取付けられた床側ランナー３１、天井スラブ４１に取付けられた天井側ランナー３２、床側ランナー３１及び天井側ランナー３２に取付けられた複数の下地柱（スタッド）３３、下地柱３３に取付けられた壁板７としてのせっこうボード７０、せっこうボード７０の表面に設けられたクロス，塗装等の壁仕上げ材７１により構成された壁である。
【００１５】
せっこうボード７０は、床側ランナー３１の凹部及び天井側ランナー３２の凹部に建て込まれた複数の下地柱３３により形成された下地面３４に図外のビス等で取付けられる。そして、下地面３４に取付けられたせっこうボード７０の表面に壁仕上げ材７１が設けられて付加壁７５が構築される。即ち、界壁５の前方に設けられる壁下地材は、床側ランナー３１と、天井側ランナー３２と、床側ランナー３１及び天井側ランナー３２に取付けられた複数の下地柱３３，３３…とで構成される。
【００１６】
尚、下地面３４に取付けられたせっこうボード７０の下端側の表面には巾木７６が取り付けられる。この巾木７６の下端面とせっこうボード７０の下端面とがほぼ同一面上に位置される。
また、巾木７６の下端面及びせっこうボード７０の下端面と床板構成部１４の上面とが間隔Ｓ１を隔てて離間するように構成される（図１乃至図３参照）。
【００１７】
界壁５の前方に設けられた壁下地材の一部を構成する床側ランナー３１、及び、天井側ランナー３２は、例えば、長尺な方向と直交する方向に切断された断面が凹形状の長尺材により形成される。即ち、床側ランナー３１、及び、天井側ランナー３２は、長尺な帯板状の基板（底板）３５と、基板３５の両方の長辺縁より同じ方向に延長して当該基板に対して垂直又は略垂直に設けられた側板３６，３７とを有し、当該基板３５と両方の側板３６，３７とで囲まれた凹部を備えた構成である。
天井側ランナー３２は、凹部の開口を下に向けて天井スラブ４１のスラブ面における複数の下地柱３３の上端の設置予定位置に配置されて基板３５がアンカーボルト等の固定手段３９により天井スラブ４１に固定される。
【００１８】
尚、図１は、床施工を先行する床先行工法により構築された建物１を示し、図２は、壁施工を先行する壁先行工法により構築された建物１を示している。
床先行工法により構築された建物１の場合、床側ランナー３１は、凹部の開口を上に向けて下地材１９における戸境壁５０に近い端面側の下地材１９上における複数の下地柱３３の下端の設置予定位置に配置されて基板３５が図外のスクリュー釘等の固定手段３８により当該下地材１９に固定される。そして、床仕上げ材２０における戸境壁５０に近い端面と床側ランナー３１の部屋１０側の側板３６とが間隔Ｓ２を隔てて離間するように構成される。また、基材１８及び下地材１９における戸境壁５０に近い端面と戸境壁５０とが間隔Ｓ３を隔てて離間するように構成される。
また、壁先行施工により構築された建物１の場合、床側ランナー３１は、凹部の開口を上に向けて床スラブ１２上における複数の下地柱３３の下端の設置予定位置に配置されて基板３５がアンカーボルト等の固定手段３９により床スラブ１２に固定される。そして、床板構成部１４における戸境壁５０に近い端面と下地柱３３の前面（部屋１０側の表面）とが間隔Ｓ４を隔てて離間するように構成される。
さらに、図３に示したような、床構造２が直貼り床により構成された建物１の場合、床側ランナー３１は、凹部の開口を上に向けて床スラブ１２上における複数の下地柱３３の下端の設置予定位置に配置されて基板３５がアンカーボルト等の固定手段３９により床スラブ１２に固定される。そして、床仕上げ材２０（床板構成部１４）における戸境壁５０に近い端面と床側ランナー３１の部屋１０側の側板３６とが間隔Ｓ５を隔てて離間するように構成される。
【００１９】
天井構造４は、天井スラブ４１に設けられた吊ボルト４２と、吊ボルト４２に取付けられた野縁受保持具としてのハンガー４３、野縁受４４、野縁取付具４５、野縁４６、野縁４６に取付けられた天井ボード、化粧板等の天井板４７を備えた構成であり、天井裏空間８は、天井スラブ４１と天井板４７との間の空間である。即ち、天井構造４は、天井スラブ４１に埋設されたインサートナット４８に吊ボルト４２を締結して吊ボルト４２を天井スラブ４１より下方に突出するように設け、吊ボルト４２にハンガー４３を取付け、ハンガー４３に野縁受４４を取付け、野縁取付具４５により野縁４６を野縁受４４に取付け、そして、野縁４６の下に天井板４７がビス等で取付けられて構成される。
【００２０】
図１に示した床先行工法により構築された建物１では、空気層６と天井裏空間８、及び、空気層６と床下空間９とを空気が流通可能なように連通させ、かつ、二重壁３の空気層６に、密度８ｋｇ／ｍ３又は密度１６ｋｇ／ｍ３の多孔質繊維吸音材としての不織布６０を備えた構成とした。この場合、空気層６と天井裏空間８とを連通させる連通手段は、せっこうボード７０の上端７０ｔと天井側ランナー３２の部屋１０側の側板３６の下端と下地柱３３との間の開口により形成され、かつ、空気層６と床下空間９とを連通させる連通手段は、上述した間隔Ｓ３で形成された開口により形成される。尚、当該床先行工法により構築された建物１においては、図１の床側ランナー３１の部屋１０側の側板３６に図外の貫通孔を形成して、当該貫通孔、及び、上述した間隔Ｓ２，Ｓ１を介して空気層６と室内空間１０Ｘとを空気が流通可能なように連通させる構成としてもよい。
【００２１】
また、図２に示した壁先行工法により構築された建物１では、空気層６と天井裏空間８、空気層６と床下空間９、及び、空気層６と室内空間１０Ｘとを空気が流通可能なように連通させ、かつ、二重壁３の空気層６に、密度８ｋｇ／ｍ３〜密度１６ｋｇ／ｍ３の多孔質繊維吸音材としての不織布６０を備えた構成とした。この場合、空気層６と天井裏空間８とを連通させる連通手段は、せっこうボード７０の上端７０ｔと天井側ランナー３２の部屋１０側の側板３６の下端と下地柱３３との間の開口により形成され、かつ、空気層６と床下空間９とを連通させる連通手段は、せっこうボード７０の下端と床側ランナー３１の部屋１０側の側板３６の上端と下地柱３３との間の開口により形成され、さらに、空気層６と室内空間１０Ｘとを連通させる連通手段は、上述した間隔Ｓ４，Ｓ１で形成された開口により形成される。
【００２２】
また、図３に示したような、床構造２が直貼り床により構成された建物１では、空気層６と天井裏空間８、及び、空気層６と室内空間１０Ｘとを空気が流通可能なように連通させ、かつ、二重壁３の空気層６に、密度８ｋｇ／ｍ３〜密度１６ｋｇ／ｍ３の多孔質繊維吸音材としての不織布６０を備えた構成とした。この場合、空気層６と天井裏空間８とを連通させる連通手段は、せっこうボード７０の上端７０ｔと天井側ランナー３２の部屋１０側の側板３６の下端と下地柱３３との間の開口により形成され、かつ、空気層６と室内空間１０Ｘとを連通させる連通手段は、上述した床側ランナー３１の部屋１０側の側板３６に形成された図外の貫通孔、及び、上述した間隔Ｓ５，Ｓ１で形成された開口により形成される。この場合、床側ランナー３１の図外の貫通孔は、例えば、床側ランナー３１の部屋１０側の側板３６において床仕上げ材２０の端部の端面と対向する位置に形成される。
【００２３】
また、せっこうボード７０を天井側ランナー３２の位置まで延長させて、せっこうボード７０の上端側の裏面と天井側ランナー３２の部屋１０側の側板３６の外面とを接触させる構造とする場合がある。この場合、天井側ランナー３２の部屋１０側の側板３６に図外の貫通孔を設け、当該貫通孔を介して空気層６と天井裏空間８とを空気が流通可能なように連通させた構成としてもよい。
また、図２に示した壁先行工法により構築された建物１の場合において、せっこうボード７０を床側ランナー３１の位置まで延長させて、せっこうボード７０の下端側の裏面と床側ランナー３１の部屋１０側の側板３６の外面とを接触させる構造とする場合がある。この場合、床側ランナー３１の部屋１０側の側板３６に図外の貫通孔を設け、当該貫通孔を介して空気層６と床下空間９とを空気が流通可能なように連通させた構成としてもよい。
【００２４】
実施形態２
実施形態１では、空気層６と天井裏空間８、及び、空気層６と室内空間１０Ｘとを空気が流通可能なように連通させた構成の二重壁３、即ち、付加壁７５を構成するせっこうボード７０（壁板７）の上端面と天井スラブ面とを離間させた構成（せっこうボード７０の上端面と天井スラブ面との間に間隔（隙間＝開口）を設けた構成）とするとともに、付加壁７５を構成するせっこうボード７０の下端面と床面とを離間させた構成（せっこうボード７０の下端面と床面との間に間隔（隙間＝開口）を設けた構成）の二重壁３を説明したが、付加壁７５を構成するせっこうボード７０の下端面と床面とを接触させた構成、あるいは、付加壁７５を構成するせっこうボード７０の上端面と天井スラブ面と接触させた構成、あるいは、付加壁７５を構成するせっこうボード７０の下端面と床面と接触させるとともに付加壁７５を構成するせっこうボード７０の上端面と天井スラブ面と接触させた構成の二重壁３としてもよい。
即ち、付加壁７５を構成するせっこうボード７０（壁板７）の上端面と天井スラブ面との間、付加壁７５を構成するせっこうボード７０の下端面と床面との間のうち、一方を離間させ、他方を接触させた構成の二重壁３としたり、あるいは、付加壁７５を構成するせっこうボード７０の上端面と天井スラブ面とを接触させるとともに（せっこうボード７０の上端面と天井スラブ面との間に間隔（隙間＝開口）を設けないような構成とするとともに）、付加壁７５を構成するせっこうボード７０の下端面と床面とを接触させた構成とした（せっこうボード７０の下端面と床面との間に間隔（隙間＝開口）を設けないような構成とした）二重壁３としてもよい。
例えば、空気層６と天井裏空間８とを空気が流通しにくい構成とした二重壁３、あるいは、空気層６と室内空間１０Ｘとを空気が流通しにくい構成とした二重壁３、あるいは、空気層６と天井裏空間８とを空気が流通しにくい構成とするとともに、空気層６と室内空間１０Ｘとを空気が流通しにくい構成とした二重壁３であってもよい。
【００２５】
各実施形態１，２における二重壁３の遮音性能を実証するための実験を行った。
即ち、図５に示すように、二重壁３の付加壁７５のせっこうボード７０のボード厚が９．５ｍｍであり、二重壁３の空気層６の間隔Ｗが５０．５ｍｍ（仕上げ厚さ６０ｍｍ−せっこうボード９．５ｍｍ）であって、空気層６の共振周波数ｆが９６Ｈｚとなる二重壁において、空気層６に、異なる密度の多孔質繊維吸音材を設けた複数の二重壁を作製して、当該各二重壁の音響透過損失(値が大きいほど遮音性能が優れている)を測定する実験を行った。即ち、実験に用いた二重壁は、空気層６の空気ばねによる共振周波数が１００Ｈｚ帯域となる壁構造である。
【００２６】
音響透過損失の測定は、ＪＩＳ  Ａ  １４１６：２０００「実験室における建築部材の空気音遮断性能の測定方法」に準拠して行った。測定は固定マイクロホン法を用いて行い、測定対象周波数範囲は１／３オクターブバンド中心周波数６３Ｈｚ〜４０００Ｈｚとした。
【００２７】
具体的には、音源室Ｍの壁と受音室Ｌの壁とにそれぞれを１０ｍ２の四角形の開口となる貫通孔を形成し、当該音源室Ｍの貫通孔の中心と受音室Ｌの貫通孔の中心とが一致するようにこれら貫通孔を向かい合わせて、これら貫通孔の間にこれら貫通孔を塞ぐ厚さ１００ｍｍのＲＣ壁Ｘ（界壁５）を構築し、このＲＣ壁の受音室Ｌ側に仕上げ厚さ６０ｍｍとなるように複数のせっこうボード７０，７０…を取付けて付加壁７５を形成するようにして（図５参照）、以下の条件を満たす二重壁Ａ群（二重壁Ａ，Ａ１，Ａ２，Ａ３，Ａ４）及びＢ群（二重壁Ｂ，Ｂ１，Ｂ２，Ｂ３，Ｂ４）を構築し、これら二重壁の音響透過損失を測定した。また、上述した音源室Ｍ及び受音室Ｌの貫通孔を塞ぐ厚さ１００ｍｍのＲＣ壁Ｘのみの場合の音響透過損失を測定した。尚、付加壁７５は、３０３ｍｍ間隔に配置された複数の下地柱（スタッド）３３に、９１０ｍｍ×１８２０ｍｍの大きさのせっこうボード７０を複数並ぶように取付けて構築した。
【００２８】
二重壁Ａ群は、図４（ａ），図５（ａ）に示すように、付加壁７５を形成するせっこうボード７０の上辺縁７０ａと上述した貫通孔の上縁面６０ａ（天井スラブ面）との間、付加壁７５を形成するせっこうボード７０の下辺縁７０ｂと貫通孔の下縁面６０ｂ（床面）との間、付加壁７５を形成するせっこうボード７０の左辺縁７０ｃと貫通孔の左縁面６０ｃとの間、付加壁７５を形成するせっこうボード７０の右辺縁７０ｄと貫通孔の右縁面６０ｄとの間に、間隔（隙間＝開口）を設けないように、せっこうボード７０（壁板７）の上端面と天井スラブ面とを接触させるとともに、せっこうボード７０の下端面と床面とを接触させた構成の二重壁群であり、各二重壁の構成は以下のとおりである。
・二重壁Ａ＝空気層６に多孔質繊維吸音材を備えていない二重壁
・二重壁Ａ１＝せっこうボード７０の界壁側表面（裏面）の全面に厚さ５０ｍｍの板状に形成された密度８ｋｇ／ｍ３の多孔質繊維吸音材としての不織布６０を貼り付けることにより、空気層６に密度８ｋｇ／ｍ３の不織布６０を備えた構成の二重壁
・二重壁Ａ２＝せっこうボード７０の界壁側表面の全面に厚さ５０ｍｍの板状に形成された密度１６ｋｇ／ｍ３の多孔質繊維吸音材としての不織布６０を貼り付けることにより、空気層６に密度１６ｋｇ／ｍ３の不織布６０を備えた構成の二重壁
・二重壁Ａ３＝せっこうボード７０の界壁側表面の全面に厚さ５０ｍｍの板状に形成された密度２４ｋｇ／ｍ３の多孔質繊維吸音材としての不織布６０を貼り付けることにより、空気層６に密度２４ｋｇ／ｍ３の不織布６０を備えた構成の二重壁
・二重壁Ａ４＝せっこうボード７０の界壁側表面の全面に厚さ５０ｍｍの板状に形成された密度４８ｋｇ／ｍ３の多孔質繊維吸音材としてのグラスウール６０Ａを貼り付けることにより、空気層６に密度４８ｋｇ／ｍ３のグラスウール６０Ａを備えた構成の二重壁
【００２９】
二重壁Ｂ群は、図４（ｂ），図５（ｂ）に示すように、付加壁７５を形成するせっこうボード７０の上辺縁７０ａと貫通孔の上縁面６０ａ（天井スラブ面）との間、付加壁７５を形成するせっこうボード７０の下辺縁７０ｂと貫通孔の下縁面６０ｂ（床面）との間に、それぞれ１００ｍｍの間隔（隙間）Ｓを設けて構築された二重壁群（即ち、せっこうボード７０（壁板７）の上端面と天井スラブ面とを離間させるとともに、せっこうボード７０の下端面と床面とを離間させた構成の二重壁群）であり、各二重壁の構成は以下のとおりである。
・二重壁Ｂ＝空気層６に多孔質繊維吸音材を備えていない二重壁
・二重壁Ｂ１＝せっこうボード７０の界壁側表面の全面に厚さ５０ｍｍの板状に形成された密度８ｋｇ／ｍ３の多孔質繊維吸音材としての不織布６０を貼り付けることにより、空気層６に密度８ｋｇ／ｍ３の不織布６０を備えた構成の二重壁
・二重壁Ｂ２＝せっこうボード７０の界壁側表面の全面に厚さ５０ｍｍの板状に形成された密度１６ｋｇ／ｍ３の多孔質繊維吸音材としての不織布６０を貼り付けることにより、空気層６に密度１６ｋｇ／ｍ３の不織布６０を備えた構成の二重壁
・二重壁Ｂ３＝せっこうボード７０の界壁側表面の全面に厚さ５０ｍｍの板状に形成された密度２４ｋｇ／ｍ３の多孔質繊維吸音材としての不織布６０を貼り付けることにより、空気層６に密度２４ｋｇ／ｍ３の不織布６０を備えた構成の二重壁
・二重壁Ｂ４＝せっこうボード７０の界壁側表面の全面に厚さ５０ｍｍの板状に形成された密度４８ｋｇ／ｍ３の多孔質繊維吸音材としてのグラスウール６０Ａを貼り付けることにより、空気層６に密度４８ｋｇ／ｍ３のグラスウール６０Ａを備えた構成の二重壁
【００３０】
ＲＣ壁Ｘ、及び、二重壁Ａ群、二重壁Ｂ群の音響透過損失の測定結果による数値データを図６に示し、ＲＣ壁Ｘ、及び、二重壁Ａ群の音響透過損失の測定結果によるグラフを図７に示し、ＲＣ壁Ｘ、及び、二重壁Ｂ群の音響透過損失の測定結果によるグラフを図８に示す。
【００３１】
測定結果からわかるように、二重壁Ａ群における、中心周波数が１００Ｈｚの１／３オクターブバンドの音響透過損失の値を比較してみると、二重壁Ａは３３．７、二重壁Ａ１は３３．２、二重壁Ａ２は３３．４、二重壁Ａ３は３１．３、二重壁Ａ４は２９．７である。即ち、密度８ｋｇ／ｍ３の不織布６０を備えた二重壁Ａ１、密度１６ｋｇ／ｍ３の不織布６０を備えた二重壁Ａ２は、密度２４ｋｇ／ｍ３の不織布６０を備えた二重壁Ａ３、密度４８ｋｇ／ｍ３のグラスウール６０Ａを備えた二重壁Ａ４と比べて、１００Ｈｚ帯域での遮音性能が優れていることがわかる。
尚、空気層６に多孔質繊維吸音材を備えない二重壁Ａは、１００Ｈｚ以下の帯域において遮音性能に優れているが、１２５Ｈｚ帯域〜５００Ｈｚ帯域の遮音性能が二重壁Ａ１，Ａ２，Ａ３よりも劣っている。
即ち、密度８ｋｇ／ｍ３の不織布６０を備えた二重壁Ａ１や密度１６ｋｇ／ｍ３の不織布６０を備えた二重壁Ａ２は、１２５Ｈｚよりも高い帯域において、ＲＣ壁Ｘよりも遮音性能が高く、１２５Ｈｚ以下の帯域においても、ＲＣ壁Ｘよりも遮音性能が若干低いだけであるので、遮音性能に優れているが、密度２４ｋｇ／ｍ３の不織布６０を備えた二重壁Ａ３や密度４８ｋｇ／ｍ３のグラスウール６０Ａを備えた二重壁Ａ４では、１００Ｈｚ帯域において遮音性能が低くなるという結果となった。
従って、当該実験によって、せっこうボード７０の下端面と床面との間やせっこうボード７０の上端面と天井スラブ面との間に隙間を設けないように、せっこうボード７０（壁板７）の上端面と天井スラブ面とを接触させるとともに、せっこうボード７０の下端面と床面とを接触させて、且つ、空気層６の共振周波数が１００Ｈｚ帯域となる二重壁において、当該二重壁の空気層６に、密度８ｋｇ／ｍ３又は密度１６ｋｇ／ｍ３の多孔質繊維吸音材としての不織布６０を備えた構成の二重壁、即ち、実施形態２の二重壁によれば、二重壁の空気層の間隔を小さくできて部屋を広くできるようになるとともに、空気層６の空気ばねによる共振周波数が１００Ｈｚ帯域となる壁構造において、１００Ｈｚ帯域の遮音性能、及び、１００Ｈｚ帯域以外の遮音性能に優れた二重壁となることが実証された。
即ち、多孔質繊維吸音材として、密度の大きいものを用いた方が、遮音性能が良いと考えられていたが、密度の小さいものを用いても良好な遮音性能が得られることが、実験により明らかになった。
【００３２】
また、測定結果からわかるように、二重壁Ｂ群における、中心周波数が１００Ｈｚの１／３オクターブバンドの音響透過損失の値を比較してみると、二重壁Ｂは３５．０、二重壁Ｂ１は３４．２、二重壁Ｂ２は３４．５、二重壁Ｂ３は３２．５、二重壁Ｂ４は３０．３である。即ち、密度８ｋｇ／ｍ３の不織布６０を備えた二重壁Ｂ１、密度１６ｋｇ／ｍ３の不織布６０を備えた二重壁Ｂ２は、密度２４ｋｇ／ｍ３の不織布６０を備えた二重壁Ｂ３、密度４８ｋｇ／ｍ３のグラスウール６０Ａを備えた二重壁Ｂ４と比べて、１００Ｈｚ帯域での遮音性能が優れていることがわかる。
尚、空気層６に多孔質繊維吸音材を備えない二重壁Ｂは、１００Ｈｚ以下の帯域において遮音性能に優れているが、１２５Ｈｚ〜１０００Ｈｚの帯域の遮音性能が二重壁Ｂ１，Ｂ２，Ｂ３よりも劣っている。
即ち、密度８ｋｇ／ｍ３の不織布６０を備えた二重壁Ｂ１や密度１６ｋｇ／ｍ３の不織布６０を備えた二重壁Ｂ２は、１２５Ｈｚよりも高い帯域において、ＲＣ壁Ｘよりも遮音性能が高く、１２５Ｈｚ以下の帯域においても、ＲＣ壁Ｘよりも遮音性能が若干低いだけであるので、遮音性能に優れているが、密度２４ｋｇ／ｍ３の不織布６０を備えた二重壁Ｂ３や密度４８ｋｇ／ｍ３のグラスウール６０Ａを備えた二重壁Ｂ４では、１００Ｈｚ帯域において遮音性能が低くなるという結果となった。
従って、当該実験によって、せっこうボード７０の下端面と床面との間やせっこうボード７０の上端面と天井スラブ面との間にそれぞれ１００ｍｍの間隔Ｓが設けられて、且つ、空気層６の共振周波数が１００Ｈｚ帯域となる二重壁において、当該二重壁の空気層６に、密度８ｋｇ／ｍ３又は密度１６ｋｇ／ｍ３の多孔質繊維吸音材としての不織布６０を備えた構成の二重壁、即ち、実施形態１の二重壁によれば、二重壁の空気層の間隔を小さくできて部屋を広くできるようになるとともに、空気層６の空気ばねによる共振周波数が１００Ｈｚ帯域となる壁構造において、１００Ｈｚ帯域の遮音性能、及び、１００Ｈｚ帯域以外の遮音性能に優れた二重壁となることが実証された。
尚、付加壁７５を構成するせっこうボード７０（壁板７）の上端面と天井スラブ面との間、付加壁７５を構成するせっこうボード７０の下端面と床面との間のうち、一方を離間させ、他方を接触させた構成の二重壁については、実験を行わなかったが、上述の実験結果から、当該構成の二重壁であっても、部屋を広くできるとともに、空気層の空気ばねによる共振周波数の影響に基づく遮音性能の低下を抑制できる二重壁となると考えられる。
【００３３】
尚、上記では、二重壁の空気層６に、密度８ｋｇ／ｍ３又は密度１６ｋｇ／ｍ３の不織布６０を備えた構成の二重壁を例示したが、二重壁の空気層６に、密度８ｋｇ／ｍ３又は密度１６ｋｇ／ｍ３のグラスウール、又は、ロックウール等のその他の多孔質繊維吸音材を備えた構成の二重壁としてもよい。
また、二重壁の空気層６に、密度８ｋｇ／ｍ３〜密度１６ｋｇ／ｍ３の多孔質繊維吸音材を備えた構成の二重壁としてもよい。尚、例えば、板状に形成された不織布としては、密度１６ｋｇ／ｍ３密度２４ｋｇ／ｍ３、密度３２ｋｇ／ｍ３、密度４０ｋｇ／ｍ３、密度４８ｋｇ／ｍ３、密度６４ｋｇ／ｍ３、密度９６ｋｇ／ｍ３のものが市販されているが、密度８ｋｇ／ｍ３〜密度１６ｋｇ／ｍ３の範囲中の任意の密度の不織布を作製して用いればよい。
また、上記では、空気層６の空気ばねによる共振周波数が１００Ｈｚ帯域となる二重壁の空気層６に、密度８ｋｇ／ｍ３〜密度１６ｋｇ／ｍ３の多孔質繊維吸音材を備えた構成の二重壁を例示したが、例えば、二重壁の空気層の間隔が、６０．５ｍｍ（仕上げ厚さ７０ｍｍ−せっこうボード９．５ｍｍ）〜５０．５ｍｍ（仕上げ厚さ６０ｍｍ−せっこうボード９．５ｍｍ）であって、空気層の共振周波数が１２５Ｈｚ帯域となる二重壁の空気層６に、密度８ｋｇ／ｍ３〜密度１６ｋｇ／ｍ３の多孔質繊維吸音材を備えた構成の二重壁としてもよい。
以上のような構成の二重壁であっても、二重壁の空気層の間隔を小さくできて部屋を広くできるようになるとともに、空気層の空気ばねによる共振周波数が１００Ｈｚ帯域〜１２５Ｈｚ帯域となる壁構造において、１００Ｈｚ帯域〜１２５Ｈｚ帯域の遮音性能、及び、１００Ｈｚ帯域〜１２５Ｈｚ帯域以外の遮音性能に優れた二重壁を得られると推測できる。
【符号の説明】
【００３４】
５  界壁、６  空気層、７  壁板、６０  不織布（多孔質繊維吸音材）、
６０Ａ  （多孔質繊維吸音材）。
【図１】
2019039229.tif 000003
【図２】
2019039229.tif 000004
【図３】
2019039229.tif 000005
【図４】
2019039229.tif 000006
【図５】
2019039229.tif 000007
【図６】
2019039229.tif 000008
【図７】
2019039229.tif 000009
【図８】
2019039229.tif 000010